(57)【特許請求の範囲】
【請求項１】
シャッターカーテン最下端の座板に、障害物に当接したことを検知する障害物検知スイッチと、該障害物検知したことに伴い障害物検知信号を出力する障害物検知用送信機とを設け、該障害物検知信号の入力に基づいて障害物検知対応がなされるように構成した建築用シャッター装置において、前記障害物検知用送信機に、障害物検知スイッチ側と障害物検知用送信機の基板側とを電気的に接続するためのコネクタを収容するコネクタ室を設けるにあたり、該コネクタ室は、底部と開口部とを有した凹陥形状をし、コネクタが内装される底部側半部と、障害物検知スイッチ側に接続されるケーブルが引き込まれる開口部側半部と、底部側半部と開口部側半部とのあいだを仕切る仕切り体と、開口部側半部に充填される軟粘性の防水材とを備えて構成されていることを特徴とする建築用シャッター装置における障害物検知用送信機の防水構造。
【請求項２】
防水材は非硬化性であることを特徴とする請求項１記載の建築用シャッター装置における障害物検知用送信機の防水構造。
【請求項３】
シャッターカーテン最下端の座板に、障害物に当接したことを検知する障害物検知スイッチと、該障害物検知したことに伴い障害物検知信号を出力する障害物検知用送信機とを設け、該障害物検知信号の入力に基づいて障害物検知対応がなされるように構成した建築用シャッター装置において、前記障害物検知用送信機に、底部と開口部とを有した凹嵌形状のコネクタ室を設け、該コネクタ室に、障害物検知スイッチ側と障害物検知用送信機の基板側とを電気的に接続するためのコネクタを収容するにあたり、接続されたコネクタをコネクタ室に配設する配設工程と、該配設されたコネクタをコネクタ室の底部側半部に位置させた状態で底部側半部と開口部側半部とを仕切り体で仕切る仕切り工程と、該しきられた開口部側半部に軟粘性の防水材を充填する充填工程をとを備えていることを特徴とする建築用シャッター装置における障害物検知用送信機の防水方法。
【発明の詳細な説明】
【技術分野】
【０００１】
本発明は、電動式の建築用シャッター装置において、シャッターカーテンが閉作動している過程で障害物検知がなされた際に障害物検知信号を送信するための建築用シャッター装置における障害物検知用送信機の防水構造および防水方法に関するものである。
【背景技術】
【０００２】
一般に、建物の出入り口等の開口部を開閉するために設けられる電動式の建築用シャッター装置は、開閉機の正逆駆動によりシャッターカーテンが巻取りドラムに巻き取られ、巻き出されることにより開口部の開閉をするように構成されているが、シャッターカーテンの閉作動の過程でシャッターカーテン最下端の座板が障害物に当接することで障害物検知スイッチ（座板スイッチ）が障害物検知をすると、障害物検知信号が座板に設けた送信機から送信され、この障害物検知信号を受信機が受信することに基づいて開閉機を緊急停止させるようにしたものがある。このような建築用シャッター装置において、送信機が設けられる座板は、シャッターカーテンの全閉時、床面に最も近い位置にあり、特にグリルシャッターのようにシャッターカーテンがパイプ状のものである場合、雨水等の水が屋外から直接被りやすく、高い防水性が要求されることになる。
ところで送信機は、何らかの要因で故障することがあり、この場合、故障の原因を究明し、故障している部分（例えば基板）を交換するようなことをしていたのではメンテナンス性が悪く、そこでこのような場合、送信機全体を交換するようにしてメンテナンス性の向上を図るようにしている。このため、障害物検知スイッチから引き出されるケーブルと基板側から引き出されるケーブルとをコネクタを介して離接自在に接続するようにしているが、このコネクタが水に濡れることは好ましくなく、そこで送信機にコネクタ室を設け、このコネクタ室を防水するようにしコネクタを水から守るようにしたものが知られている（例えば特許文献１参照）。
【先行技術文献】
【特許文献】
【０００３】
【特許文献１】特開２００７−３６８２５号公報
【発明の概要】
【発明が解決しようとする課題】
【０００４】
ところが前記従来のものは、コネクタ室を構成する壁体についてはＵ字形の溝部を形成し、該溝部に障害物検知スイッチから引き回されるケーブルを嵌入すると共に、コネクタ室の全内周面にコネクタ室の開口端より低い支持部を設け、該支持部に設けた半円形の溝部に前記ケーブルを嵌入した状態で、支持部に突き当てるようにしてパッキンを当てがい、該パッキンの上から蓋体を被せることでコネクタ室の開口を防水状に塞ぐようにしているが、この場合に、蓋体については、壁体の溝部からはみ出ているケーブル半部を通すため先端が半円状の溝部が形成された突片を設ける一方、パッキンについては、支持体の溝部からはみ出ているケーブル半部を通すため半円状の溝部を設けるようにしている。
ところで障害物検知スイッチから引き出されるケーブルは、スイッチに接続されるリード線自体が直接露出したままの状態であると、リード線が異物に接触する等して断線したりしやすく、このためリード線を遊嵌状に覆うべく可撓性がある円筒状の被覆材で被覆したものが採用される。この場合、この被覆材を前記半円状の溝部を突き合わせて覆ったとして、被覆材は可撓性があるため撓みやすく溝部とのあいだに隙間ができてここから水が浸入する惧れがある。そこで被覆材を潰すようにして溝部で強制的に覆うことが提案されるが、このようにした場合、潰されることで被覆材は撓み変形することになるが、この撓み変形した隙間から水が浸入する惧れがある。また、パッキンを用いて防水することも考えられるが、パッキンは、ケーブルに当接するだけで密着していないものであり、何れにしても防水対策として充分でないという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、シャッターカーテン最下端の座板に、障害物に当接したことを検知する障害物検知スイッチと、該障害物検知したことに伴い障害物検知信号を出力する障害物検知用送信機とを設け、該障害物検知信号の入力に基づいて障害物検知対応がなされるように構成した建築用シャッター装置において、前記障害物検知用送信機に、障害物検知スイッチ側と障害物検知用送信機の基板側とを電気的に接続するためのコネクタを収容するコネクタ室を設けるにあたり、該コネクタ室は、底部と開口部とを有した凹陥形状をし、コネクタが内装される底部側半部と、障害物検知スイッチ側に接続されるケーブルが引き込まれる開口部側半部と、底部側半部と開口部側半部とのあいだを仕切る仕切り体と、開口部側半部に充填される軟粘性の防水材とを備えて構成されていることを特徴とする建築用シャッター装置における障害物検知用送信機の防水構造である。
請求項２の発明は、防水材は非硬化性であることを特徴とする請求項１記載の建築用シャッター装置における障害物検知用送信機の防水構造である。
請求項３の発明は、シャッターカーテン最下端の座板に、障害物に当接したことを検知する障害物検知スイッチと、該障害物検知したことに伴い障害物検知信号を出力する障害物検知用送信機とを設け、該障害物検知信号の入力に基づいて障害物検知対応がなされるように構成した建築用シャッター装置において、前記障害物検知用送信機に、底部と開口部とを有した凹嵌形状のコネクタ室を設け、該コネクタ室に、障害物検知スイッチ側と障害物検知用送信機の基板側とを電気的に接続するためのコネクタを収容するにあたり、接続されたコネクタをコネクタ室に配設する配設工程と、該配設されたコネクタをコネクタ室の底部側半部に位置させた状態で底部側半部と開口部側半部とを仕切り体で仕切る仕切り工程と、該しきられた開口部側半部に軟粘性の防水材を充填する充填工程をとを備えていることを特徴とする建築用シャッター装置における障害物検知用送信機の防水方法である。
【発明の効果】
【０００６】
請求項１、３の発明とすることにより、障害物検知スイッチ側と障害物検知用送信機の基板側とを接続するためのコネクタを収容するコネクタ室が、凹嵌形状になっていて、コネクタが内装される底部側半部と、開口部側でここに軟粘性の防水材が充填される開口部側半部とに仕切られているため、防水材を用いて防水するものでありながらコネクタに防水材が付着してしまうことがなく、しかもケーブルが円筒状の被覆材で覆蓋されたものであって、防水材の充填の際に被覆材が変形したとしても、防水材は軟粘性があるため変形した被覆材によく沿う状態で粘着することになって防水性に優れ、コネクタの水からの保護が図れることになる。
請求項２の発明とすることにより、防水材が非硬化性である結果、例えば障害物検知用送信機が故障したため交換したいような場合、防水材を開口部側半部から抉り出すことにより仕切り体が露出し、この仕切り体を外すことで露出するコネクタの接続を外せば、簡単に障害物検知用送信機の交換作業ができることになってメンテナンス性の向上が図れることになる。
【図面の簡単な説明】
【０００７】
【図１】建築用シャッター装置の背面図である。
【図２】シャッターカーテンの座板部位を示す要部背面図である。
【図３】座板部位の縦断面図である。
【図４】障害物検知スイッチ部位の背面断面図である。
【図５】（Ａ）（Ｂ）は障害物検知用送信機の分解正面斜視図、背面斜視図である。
【図６】（Ａ）（Ｂ）は障害物検知用送信機のコネクタ室部位の背面図、縦断面図である。
【図７】（Ａ）〜（Ｄ）はコネクタ室の組込み作業手順を示す説明図である。
【発明を実施するための形態】
【０００８】
以下、本発明の実施の形態について、図面に基づいて説明する。図面において、１は電動式の建築用シャッター装置であって、該シャッター装置１は、開口部の開閉をするためのシャッターカーテン２、該シャッターカーテン２を巻装するための巻取りドラム３、該巻取りドラム３から巻き出されるシャッターカーテン２の開閉ガイドをすべく開口部の左右に設けられるガイドレール４、前記巻取りドラム３を正逆回転するための開閉機５、該開閉機５の開閉停止作動を行うためのスイッチ装置（押釦スイッチ）６等の各種の部材装置により構成されていること等は何れも従来通りである。
因みに、本発明は重量シャッター装置、軽量シャッター装置、グリルシャッター装置等の各種の建築用シャッター装置の何れにも採用することができる。
【０００９】
前記シャッターカーテン２は、複数枚のスラット２ａを一枚板状に連結することで形成されるが、そのうちの最下端の座板７は、略冂字形の上側半部７ａと略凵字形の下側半部７ｂとで構成されるが、下側半部７ｂは、両脚片７ｄが上側半部７ａの両脚片７ｃ間に遊嵌し、そして下側半部７ｂの上片７ｅが上側半部７ａの下片７ｆに上側から係止することにより下側への脱落防止が図られた状態で上側半部７ａに対して上下移動できるように構成されている。
【００１０】
座板上側半部７ａの上側片７ｇには、下側半部７ｂの下側片７ｈに対向するようにして複数の障害物検知スイッチ８が左右方向に適間隔を存して設けられ、これによって障害物検知スイッチ８は上下両半部７ａ、７ｂのあいだに配設されることになるが、該障害物検知スイッチ８は、ビス８ａを介して上側半部上片７ｇに固定される本体部８ｂと、該本体部８ｂに支軸８ｃを介して揺動自在に設けられる検知部８ｄと、検知部８ｄを下方に向けて付勢する弾機（図示せず）とを備えて構成されている。そしてこれら各障害物検知スイッチ８は、検知部８ｄが連結材８ｅを介して一連状に連結されており、シャッターカーテン２の全開時や閉作動中等のように下側半部７ｂが床面や障害物に当接していない状態では、下側半部７ｂは自重により垂下していて下側半部下側片７ｈが検知部８ｄから離間している。このようなものにおいて、シャッターカーテン２の閉作動中、下側半部下側片７ｈが障害物に当接して下側半部７ｂの下動が規制されると、該下側半部７ｂは上側半部７ａに対して相対的に上動することになり、これによって下側半部下側片７ｈが検知部８ｄに当接してこれを押し上げる検知作動がなされるようになっている。因みに本実施の形態では、下側半部７ｂの上側半部７ａに対する相対的な上動が、例えば障害物が左右何れか一方に偏倚していて傾斜状のものであって該偏倚した側の検知部８ｄが押し上げられる場合であっても、前述したように検知部８ｄは連結材８ｅにより一連状に連結されているため、全ての検知部８ｄが押し上げられる検知作動がなされ、これによって検知作動の洩れがないように諮られている。
【００１１】
一方、これら各障害物検知スイッチ８のうちの一つには、本体部８ｂにセンサスイッチであるマイクロスイッチ（常時ＯＮ接点、ｂ接点）９が設けられるが、該マイクロスイッチ９は、検知部８ｄが弾機の付勢力を受けて垂下している状態では検知部８ｄに設けた図示しない作動部がマイクロスイッチ９のスイッチバー９ａに押圧状に当接することになって該スイッチバー９ａが押し込まれた状態になり、これによりマイクロスイッチ９はＯＮ状態に維持されている。これに対し、前述したように障害物に当接することにより検知部８ｄが弾機８ｅの付勢力に抗して押し上げられた場合に、作動部８ｆがスイッチ接点９ａから離間してスイッチバー９ａが図示しない弾機の付勢力を受けて離間作動をし、これによりマイクロスイッチ９がＯＦＦに切換わる検知作動をし、これによって障害物検知信号が出力されるようになっている。
【００１２】
前記マイクロスイッチ９からはリード線１０ａが引き出されているが、該リード線１０ａには円筒状の被覆材１０ｂが遊嵌状に外嵌されており、これによって本発明のケーブル（配線）１０が構成されている。ケーブル１０は、上側半部上側片７ｇに設けた貫通孔７ｉを貫通して上側半部上側片７ｇの上面に至るようになっている。
【００１３】
１１は障害物検知信号を送信するための送信機であって、該送信機１１は、ビス１１ａを介して座板７の上側半部上側片７ｇから立設する縦片７ｊに、スラット２ａに連結する座板バー２ｂと共に固定されるが、送信機１１は、縦片７ｊ側が開口するケース本体１１ｂと該開口部側を覆蓋する蓋体１１ｃとを備えて構成される。送信機１１には、電池１２が組込まれる電池室１１ｄと、基板１３が組込まれる基板室１１ｅと、前記ケーブル（具体的にはリード線１０ａ）１０の先端に設けたコネクタ半部１４ａおよび基板１３から引き出されたリード線１３ａの先端に設けたコネクタ半部１４ｂの半部同士を離接自在に接続したコネクタ１４を収納するためのコネクタ室１１ｆとが設けられている。そして送信機１１は、前述したように障害物検知スイッチ８から障害物検知信号が入力した場合に、基板１３に設けた発光部材（例えば遠赤外線を発光する発光ダイオード）１５から障害物検知信号を出力し、この出力された障害物検知信号を、開口部上方のマグサ部１６に設けた受信機１７が受信すると、該受信信号が制御部１８に入力し、開閉機５が閉鎖作動をしている場合に、開閉機５に対し、緊急停止信号を出力すると共に予め設定された障害物回避作動信号を出力するようになっており、このようにして必要な障害物検知対応ができるようになっている。尚、本実施の形態では、基板１３側のリード線１３ａは被覆材がないものになっているが、必要において被覆材で被覆しても勿論よい。
【００１４】
前記コネクタ室１１ｆは、蓋体１１ｃをケース本体１１ｂ側に向けて凹陥形状にすることで形成されているが、コネクタ室１１ｆの底部１１ｇに基板側リード線１３ａが貫通する貫通孔１１ｈが形成されることで、基板側コネクタ半部１４ｂがコネクタ室１１ｆに収容されるようになっている。
一方、障害物検知スイッチ８から引き回されたケーブル１０を、蓋体１１ｃに形成した凹溝１１ｉ内を這わせるようにして送信機１１の端部からコネクタ室１１ｆに至らしめ、その先端に設けた送信機側コネクタ半部１４ａをコネクタ室１１ｆにて前記基板側コネクタ半部１４ｂと接続することになり、このようにしてコネクタ１４を接続した後、コネクタ室底部１１ｇから突設したビス受け１１ｊの先端部に突き当てた仕切り体１１ｋをビス１１ｐを介して固定するようになっている。尚、仕切り体１１ｋにはケーブル１０を貫通するための貫通孔１１ｍが形成され、また発光部材１５は透光性素材で形成された発光窓１１ｏに対向するようになっており、これによって障害物検知信号が透光して受信機１７で受光されるようになっている。因みに、仕切り体１１ｋは樹脂材、金属、紙等の適宜の素材で形成することができる。また仕切り体１１ｋとしては、ビス１１ｐを介してビス受け１１ｊに固定するものに限定されず、例えば、コネクタ室底部１１ｇや周壁から仕切り体１１ｋの平面的な支持ができる支持体（例えば少なくとも二つの支持体や十文字形状の支持体）を突設し、この支持体に仕切り体１１ｋを当接支持させるようにしたもの、あるいはコネクタ室１１ｆの複数の周壁（少なくとも二面）の対向間隔を、後述する底部側半部Ｓ１側が幅狭で、開口部側半部Ｓ２が幅広になるようにして段差部を形成し、この段差部に仕切り体１１ｋを当接支持させるようにしてビス固定しない構成としても実施することができる。
【００１５】
このようにしてコネクタ１４がコネクタ室１１ｆで接続され、コネクタ室１１ｆを仕切り体１１ｋで塞いだ状態にすると、コネクタ室１１ｆは、仕切り体１１ｋによりコネクタ１４が配設される底部側半部Ｓ１と開口部側半部Ｓ２とに二分されることになるが、開口部側半部Ｓ２には配線後、非硬化性の軟粘性がある防水材（パテ、コーキング材）１９が充填されている。そして該充填された防水材１９は軟粘性があることにより、該防水材１９が、開口部側半部Ｓ２の周壁、仕切り体１１ｋの開口部側半部Ｓ２側の面、そしてケーブル１０の周面によく密着（被覆材１０ｂが防水材１９を充填する際の充填圧を受けて変形したとしてこの変形面に沿う状態でよく密着）することになって開口部側半部Ｓ２は隙間がない密閉状態になり、これによってコネクタ１４が収容される底部側半部Ｓ１は高度の防水機能を発揮できるようになっている。
【００１６】
叙述の如く構成された本実施の形態において、シャッターカーテン最下端の座板７に、障害物に当接したことを検知する障害物検知スイッチ８と、該障害物検知したことに伴い障害物検知信号を出力する障害物検知用の送信機１１とを設け、該障害物検知信号の入力に基づいて障害物検知対応がなされるように構成し、シャッターカーテン２の閉作動中において障害物検知がなされると、シャッターカーテン２の閉作動を緊急停止し、しかる後、必要な障害物回避作動をすることになるが、この場合に、障害物検知用送信機１１の蓋体１１ｃに凹嵌形状のコネクタ室１１ｆを形成し、ここにコネクタ１４を収容することになるが、該コネクタ室１１ｆは、コネクタ１４が内装される底部側半部Ｓ１と、障害物検知スイッチ側に接続されるケーブルが引き込まれる開口部側半部Ｓ２とに二分され、このあいだを仕切り体１１ｋで仕切り、そして開口部側半部Ｓ２には防水材１９が充填されて防水性を確保することになるため、底部側半部Ｓ１に防水材１９が入り込んでコネクタ１４に被着することがなく、コネクタ１４の保護も図れることになる。
【００１７】
しかも防水材１９は軟粘性であるため、開口部側半部Ｓ２に充填する際に、ケーブル１０の被覆材１０ｂが変形したとしても、防水材１９はこの変形によく沿う状態で粘着することになって防水性に優れたものとなり、コネクタ１４の水からの保護が図れることになる。
【００１８】
そのうえ防水材１９は、非硬化性であるため、送信機１１を交換するようなメンテナンスをする場合に、開口部側半部Ｓ２から抉り出すことで仕切り体１１ｋを露出させ、ビス１１ｌを外して仕切り体１１ｋを取出せば、コネクタ１４が露出することになり、そこでコネクタ１４を外す等して送信機１１の交換作業が簡単にできることになる。
【００１９】
尚、本発明は前記実施の形態に限定されるものでなく、例えば座板を逆Ｔ字形のものとし、障害物検知スイッチとしては座板の下面（底面）にテープスイッチを設けたものであっても実施することができる。またコネクタ室は、蓋体側ではなくケース本体側に設けることも勿論できる。
【産業上の利用可能性】
【００２０】
本発明は、開口部の開閉をする建築用シャッター装置における障害物検知用送信機として利用することができる。
【符号の説明】
【００２１】
１  シャッター装置
２  シャッターカーテン
７  座板
８  障害物検知スイッチ
１０  ケーブル
１１  送信機
１１ｃ  蓋体
１１ｆ  コネクタ室
１１ｋ  仕切り体
１１ｐ  ビス
１３  基板
１４  コネクタ
１９  防水材
Ｓ１  底部側半部
Ｓ２  開口部側半部
【図１】
0006513529.tif 000002
【図２】
0006513529.tif 000003
【図３】
0006513529.tif 000004
【図４】
0006513529.tif 000005
【図５】
0006513529.tif 000006
【図６】
0006513529.tif 000007
【図７】
0006513529.tif 000008